(57)【要約】【課題】簡便な構成で安価でありながら、必要な画像情報を有効且つ適切に記憶させることができる防犯用撮影記憶装置を提供すること。【解決手段】ドア１５に接近した者を感知すべくドア１５に取り付けられた人感センサーと、室外の様子を撮影すべくドアスコープ用の孔を利用して取り付けられたＣＣＤカメラ３０と、撮影された画像を表示するモニター部４０と、ＣＣＤカメラ３０によって撮影された画像情報を保存するメモリー部と、人感センサー２０により発生した信号を受けてＣＣＤカメラ３０のシャッターを自動的に切って静止画像を撮り、撮影された静止画像情報をメモリー部５０に記憶させるべく制御する制御部５５と、制御部５５を操作する操作部６０とを具備する。【選択図】  図１
2005318036.tif 000002
【特許請求の範囲】
【請求項１】
ドアに接近した者を感知すべく該ドアに取り付けられた人感センサーと、
室外の様子を撮影すべくドアスコープ用の孔を利用して取り付けられたＣＣＤカメラと、
該ＣＣＤカメラによって撮影された画像を表示するモニター部と、
前記ＣＣＤカメラによって撮影された画像情報を保存するメモリー部と、
前記人感センサーにより発生した信号を受けて前記ＣＣＤカメラのシャッターを自動的に切って静止画像を撮り、該ＣＣＤカメラによって撮影された静止画像情報を前記メモリー部に記憶させるべく制御する制御部と、
該制御部を操作する操作部とを具備することを特徴とする防犯用撮影記憶装置。
【請求項２】
前記制御部は、前記人感センサーが室外にいる者を感知して作動した状態である場合に、前記ＣＣＤカメラのシャッターを所定の時間をおいて自動的に切ることを特徴とする請求項１記載の防犯用撮影記憶装置。
【請求項３】
前記メモリー部は、外部に取り出し可能な外部メモリーを含むことを特徴とする請求項１又は２記載の防犯用撮影記憶装置。
【請求項４】
前記モニター部、前記メモリー部、前記制御部及び前記操作部が開閉可能な蓋を有するボックスに収容される状態に配設され、
該ボックスの蓋にモニター部及び操作部が外部へ臨んで取り付けられ、
前記蓋をした場合は見えなくなるように前記ボックスの本体内部に電源のスイッチが取り付けられたことを特徴とする請求項１、２又は３記載の防犯用撮影記憶装置。
【請求項５】
前記電源は、充電式の蓄電池であることを特徴とする請求項１、２、３又は４記載の防犯用撮影記憶装置。
【発明の詳細な説明】
【技術分野】
【０００１】
本発明は、人感センサーとＣＣＤカメラを用いた防犯用撮影記憶装置に関する。
【背景技術】
【０００２】
近年、空巣などの窃盗や、ストーカー行為などの犯罪が増加する傾向にある。
空巣ねらいの窃盗をする者は、ターゲットとした家を何回も下見をするという。また、ストーカー行為をする者は、合鍵を入手するなどして玄関から不法侵入する場合さえもある。さらにまた、盗みは意外と朝の時間帯にも多く発生している。ゴミ捨てなどをしている僅かな時間に玄関から進入されるケースもある。
このような犯罪行為を未然に防止し、又は、深刻な事態に陥ることを防止することが必要である。
【０００３】
防犯用に所定の場所をモニターする撮像装置としては、動画映像を撮る防犯カメラが一般的である。この場合、撮影した動画映像は、ビデオ装置を用いて記録している。
このような防犯カメラ装置が、一般の住宅において設置されるケースは少ない。装置システムが大掛かりとなり、初期コスト及びランニングコストが高くなるためである。また、撮影した映像をチェックすることが大変である。ビデオテープを全部見ても何も映っていない場合もある。また、監視されるという圧迫感を与えることからも、一般に普及するには至っていない。
【０００４】
これに対し、撮像装置（ＣＣＤ）、表示装置（ＬＣＤ）及び人を検知する検知手段を備え、人を検知した場合のみに作動するビューユニットが提案されている（特許文献１参照）。これにより、来訪者を適切にモニターすることができる。
【特許文献１】特開平０８−２５１４５４号公報
【発明の開示】
【発明が解決しようとする課題】
【０００５】
従来の防犯カメラ装置では、人を検知した場合のみにカメラを作動させることが提案されているから、適切な時にモニターをすることができる。
しかしながら、防犯に必要な画像情報を有効且つ適切に記憶させる構成などについては開示されていない。
そこで、本発明の目的は、簡便な構成で安価でありながら、必要な画像情報を有効且つ適切に記憶させることができる防犯用撮影記憶装置を提供することにある。
【課題を解決するための手段】
【０００６】
本発明は、上記目的を達成するために次の構成を備える。
本発明にかかる防犯用撮影記憶装置の一形態によれば、ドアに接近した者を感知すべく該ドアに取り付けられた人感センサーと、室外の様子を撮影すべくドアスコープ用の孔を利用して取り付けられたＣＣＤカメラと、該ＣＣＤカメラによって撮影された画像を表示するモニター部と、前記ＣＣＤカメラによって撮影された画像情報を保存するメモリー部と、前記人感センサーにより発生した信号を受けて前記ＣＣＤカメラのシャッターを自動的に切って静止画像を撮り、該ＣＣＤカメラによって撮影された静止画像情報を前記メモリー部に記憶させるべく制御する制御部と、該制御部を操作する操作部とを具備することを特徴とする。
【０００７】
また、本発明にかかる防犯用撮影記憶装置の一形態によれば、前記制御部は、前記人感センサーが室外にいる者を感知して作動した状態である場合に、前記ＣＣＤカメラのシャッターを所定の時間をおいて自動的に切ることを特徴とすることができる。
【０００８】
また、本発明にかかる防犯用撮影記憶装置の一形態によれば、前記メモリー部は、外部に取り出し可能な外部メモリーを含むことを特徴とすることができる。
【０００９】
また、本発明にかかる防犯用撮影記憶装置の一形態によれば、前記モニター部、前記メモリー部、前記制御部及び前記操作部が開閉可能な蓋を有するボックスに収容される状態に配設され、該ボックスの蓋にモニター部及び操作部が外部へ臨んで取り付けられ、前記蓋をした場合は見えなくなるように前記ボックスの本体内部に電源のスイッチが取り付けられたことを特徴とすることができる。
【００１０】
また、本発明にかかる防犯用撮影記憶装置の一形態によれば、前記電源は、充電式の蓄電池であることを特徴とすることができる。
【発明の効果】
【００１１】
本発明に係る防犯用撮影記憶装置によれば、ＣＣＤカメラによって撮影された画像情報を保存するメモリー部と、人感センサーにより発生した信号を受けてＣＣＤカメラのシャッターを自動的に切り、そのＣＣＤカメラによって撮影された画像情報を前記メモリー部に記憶させるべく制御する制御部とを有する。
このため、簡便な構成で安価でありながら、防犯に必要な映像情報を、限られた容量のメモリーへ適切に記憶できるという有利な効果を奏する。
【発明を実施するための最良の形態】
【００１２】
以下、本発明の防犯用撮影記憶装置に係る最良の形態を添付図面と共に詳細に説明する。
図１は、本発明の防犯用撮影記憶装置に係る構成部品を収容するボックス１０の蓋１２を開いた状態を示す正面図である。図２は、図１の防犯用撮影記憶装置の縦断面図である。また、図３は、図１のボックス１０の蓋１２を閉じた状態を示す正面図である。
２０は人感センサーであり、ドア１５に接近した者を感知すべくドア１５の外面上部に取り付けられている。ドア１５の上部に固定されるため、高さが好適であり、人を適切に感知できる。２２は人感センサーのケーブルであり、人感センサー２０と制御部５５とを接続している。
【００１３】
また、本形態では図３に示すように、人感センサー２０が、ドア１５の上部よりＬ字状の取付金具２４によって外部に露出した状態に固定されている。取付金具２４のＬ字の一端は、ドア１５の内側に両面テープで固定することができる。
これによれば、人感センサー２０を、ドア１５の表面を傷つけることなく好適に取り付けることができる。
また、人感センサー２０の固定について、ドア１５の上部とドア枠（図示せず）との隙間を好適に利用できる。また、人感センサーのケーブル２２の配線についても、ドア１５の上部とドア枠（図示せず）との隙間を好適に利用できる。
このように人感センサー２０はドア１５に取り付けられるため、簡単に設置できる。
【００１４】
人体を感知する人感センサー２０としては、赤外線センサーを応用したもので人体の赤外線を感知する受動型センサー、或いは、赤外線を発して人から反射する赤外線を感知する能動型センサーを用いることができる。
なお、人感センサー２０の感度調整は、センサーユニット自体で適宜行うようにすればよい。また、制御部５５を介して調整するように設定することも可能である。なお、ドア１５の上部に固定されていることから、この感度調整とカメラによる撮影範囲の調整（マッチング）を容易に行うことができる。
【００１５】
３０はＣＣＤカメラであり、室外の様子を撮影すべくドアスコープ用の孔を利用して取り付けられている。
本形態では、ドアスコープに換えてＣＣＤカメラ３０を、ドア１５に設けられた孔（覗き孔）に装着してある。既存のドアスコープを取り外し、ＣＣＤカメラ３０を取り付けることができる。ドアスコープの孔の高さは、高さが好適であり、来訪者を適切に撮影できる。
また、本形態では、ＣＣＤカメラのレンズ系３３がドア１５の外側に出た状態に形成されている。これにより、室外の様子を適宜広角に撮影できる。
【００１６】
３１は管状の金具であり、図２に示すようにＣＣＤカメラを内蔵して保護している。ドアスコープ用の孔に挿通された状態となっている。この管状の金具３１の少なくとも室内側に突き出ている部分の外周には雄螺子が設けられている。
３２はナットであり、管状の金具３１に螺合してＣＣＤカメラをドア１５に固定する。
また、このナット３２は、ボックス１０の本体１１（底板）をドア１５との間に挟んで固定している。これにより、ＣＣＤカメラ３０とボックス１０を容易に固定できる。
【００１７】
ＣＣＤカメラ３０は、レンズ系３３とＣＣＤ部３５と画像処理系とによって構成される。本形態では画像処理系を制御部５５に設けてある。また、本形態では、ＣＣＤ部３５をレンズ系３３の直後に連続して配したが、光ファイバを介在させ制御部５５に配することも可能である。
また、３６はＣＣＤカメラの接続ケーブルであり、ＣＣＤ部３５と制御部５５を接続している。
なお、ＣＣＤとは、電荷結合素子のことであり、光信号を電気信号に変える個体撮像素子のことである。
【００１８】
４０はモニター部であり、ＣＣＤカメラ３０によって撮影された画像を表示する。
このモニター部４０は、ボックス１０の蓋１２にその表示面が外部へ臨んで取り付けられている。つまり、モニター部４０が見えるように蓋１２に固定されている。モニター部４０は液晶表示体などの薄型表示体によって構成される。
【００１９】
５０はメモリー部であり、ボックス１０の本体１１に固定されており、ＣＣＤカメラ３０によって撮影された画像情報を保存する。つまり、５１は本体内蔵メモリーであり、画像情報を一時的に記憶するように用いてもよい。
５２は外部メモリーであり、前記メモリー部５０の一部を構成し、外部に取り出し可能なメモリーとなっている。つまり、着脱可能な記憶媒体となっている。
この外部メモリー５２としては、ＳＤカードなどのカード式のメモリーチップを使用できる。また、半導体メモリーとしてメモリーステックなどを用いてもよい。
【００２０】
５５は制御部であり、人感センサー２０により発生した信号を受けてＣＣＤカメラ３０のシャッターを自動的に切って静止画像を撮り、そのＣＣＤカメラ３０によって撮影された静止画像情報をメモリー部（本体内蔵メモリー５１又は外部メモリー５２）に記憶させるべく制御する。
また、本実施の形態では、制御部５５は、人感センサー２０が室外にいる者を感知して作動した状態である場合に、ＣＣＤカメラ３０のシャッターを所定の時間をおいて自動的に切って静止画像を撮るようにＣＣＤカメラ３０を制御する。なお、これによって撮影された静止画像情報はメモリー部５０で記憶保存される。
【００２１】
６０は操作部であり、制御部５５を操作するように、操作ボタンが配設されている。図３に操作ボタンの例を示してある。なお、タッチパネル状に設けてもよい。
この操作部６０は、ボックス１０の蓋１２にその操作面が外部へ臨んで取り付けられている。つまり、操作部６０が見えるように蓋１２に固定されている。
【００２２】
６１は在宅ボタンであり、在宅時に使用される。本発明に係る防犯用撮影記憶装置が手動モード（在宅モード）に設定される。
６２は留守ボタンであり、外出時に使用される。これにより、来訪者の画像を自動的に撮影して記録するモード（留守モード）に設定できる。
６３はボタンＡであり、手動シャッターボタンになっている。在宅モードのとき、このボタンを押すことで静止画像の撮影及びその画像情報の記録がなされる。なお、来訪者が来た場合には、他の操作しない限り、人感センサー２０からの信号を受けて、モニター部４０には画像（動画）が表示される。
６４はボタンＢであり、消去ボタンになっている。記録画像を消去する際に使用する。
６５は戻りボタンであり、記録画像を再度見る場合に使用する。元の画面を順送りで見ることができる。
６６は送りボタンであり、次の記録画像を見る場合に使用する。次の画面を順送りで見ることができる。
【００２３】
１９はボックスであり、蓋１２を有する。蓋１２は蝶番１４によって開閉自在に設けられている。このボックス１０に、モニター部４０、メモリー部５０、制御部５５及び操作部６０が収容される状態に配設されている。
電源のスイッチ７０が、蓋１２をした場合は見えなくなるようにボックス１０の本体１１内部に取り付けられている。
これによれば、蓋１２を開くという動作をしなければ、電源スイッチ７０を入れることができないため、その操作を忘れにくくする。確実な操作を実現できる。
【００２４】
７２充電式の蓄電池であり、電源バッテリーとして用いられる。充電式としたことで電源から本装置への配線を要しない。ドア１５付近には電源のコンセントがない場合が多く、そのような場合でも問題がない。
なお、充電器（図示せず）は、別途必要である。一般電源（１００Ｖ）にて充電する。使用電源範囲は海外での使用も考えて１００から２４０Ｖとすればよい。
また、来訪者が来た際のみに静止画像を撮影する構成となっており、消費電力を極めて小さく抑えることが可能である。このため、充電式の蓄電池７２でも問題はない。
【００２５】
次に本発明に係る防犯用撮影記憶装置の動作について、図４及び５のフローチャート図に基づいて説明する。
図４に示すように、電源スイッチ７０を入れると「待機」状態となる。「来訪者がドアの前に立つ」と人感センサー２０が作動して「来訪者センサー動作」状態となる。これにより、人感センサー２０から制御部５５へ信号が送られる。制御部５５はＣＣＤカメラ３０を起動させて「来訪者の画像取り込み」を始める。
次に制御部５５は、「留守モード」か否かを判断して、留守モードであれば「オートシャッターにて保存」する。つまり、ＣＣＤカメラ３０で静止画像を撮り、その情報をメモリー５１、５２に記憶させる。
そして、所定の時間をおいて、ドアの前の来訪者の存在を再度確認する。その来訪者がドアの前から立ち去らずにいる場合は人感センサー２０の信号は「来訪者センサー動作状態」となっている。このときは、再び、「オートシャッターにて保存」する。ＣＣＤカメラ３０で静止画像を撮り、そのデジタル情報をメモリー５１、５２に記憶させる。なお、上記所定の時間の長短は適宜設定すればよい。また、その時間は設置条件などに応じて適宜変更できるようにしておけばよい。
人感センサー２０が来訪者を感知している状態では、以上の動作を数回繰り返す。
次に、さらに再度、制御部５５は「来訪者センサー動作」を確認する。来訪者が留まっていて人感センサー２０が検知している場合は、所定の時間をおいて再度、「来訪者の画像とり込み」から以上の動作を繰り返す。来訪者が立ち去っている場合には、「待機」状態へ戻る。なお、上記所定の時間の長短は適宜設定すればよい。また、その時間は設置条件などに応じて適宜変更できるようにしておけばよい。
【００２６】
また、「留守モード」の判断で、留守モードでなく在宅モードの場合は、とり込んだ画像を「液晶モニターに映す」ようにする。ＣＣＤカメラ３０でとり込んだ画像情報を、制御部５５を介してモニター部４０に送る。
そして、「必要があれば手動にて保存」する。つまり、手動シャッターボタン６３を押すことで、ＣＣＤカメラ３０で静止画像を撮り、その情報をメモリー５１、５２に記憶させる。
次に、制御部５５は「来訪者センサー動作」を確認する。来訪者が留まっていて人感センサー２０が検知している場合は、所定の時間をおいて再度、「来訪者の画像とり込み」から始まって以上の動作を繰り返す。来訪者が立ち去っている場合には、「待機」状態へ戻る。
【００２７】
次に、図５に基づいて、防犯用撮影記憶装置の使用者が記録された静止画像を確認する手順を説明する。
使用者が「帰宅」し、操作部６０の在宅ボタン６１を押すことで、留守モードが解除される。これにより、「とり込み画像の確認」ができる状態となる。「液晶モニターにて確認」することを各操作ボタンの操作でおこなう。
送りボタン６６及び戻りボタン６５を押下げることで、順次「次画像確認」をすることができる。保存ボタン（手動シャッターボタン６３などを共用してもよい）を押下げることで、「外部メモリーに保存（ＳＤカード）」にすることができる。また、消去ボタン６４を押し下げることで記録された静止画像を消去できる。
来訪者が複数の場合は、以上の操作を「来訪者数繰り返し」て画像の確認、保存又は消去を行う。
そして、電源を入れたままであると「待機」状態に戻り、電源を切れば終了となる。
【００２８】
以上、本発明につき好適な実施例を挙げて種々説明してきたが、本発明はこの実施例に限定されるものではなく、発明の精神を逸脱しない範囲内で多くの改変を施し得るのは勿論のことである。
【図面の簡単な説明】
【００２９】
【図１】本発明の一形態のボックスの蓋を開いた状態を示す正面図である。
【図２】図１の形態の縦断面図である。
【図３】図１の形態のボックスの蓋を閉じた状態を示す正面図である。
【図４】本発明の一形態の動作を示すフローチャート図である。
【図５】図４フローに続く動作を示すフローチャート図である。
【符号の説明】
【００３０】
１０  ボックス
１２  蓋
１５  ドア
２０  人感センサー
３０  ＣＣＤカメラ
４０  モニター部
５０  メモリー部
５１  本体内蔵メモリー
５２  外部メモリー
５５  制御部
６０  操作部
７０  電源スイッチ
７２  充電式の蓄電池
【図１】
2005318036.tif 000003
【図２】
2005318036.tif 000004
【図３】
2005318036.tif 000005
【図４】
2005318036.tif 000006
【図５】
2005318036.tif 000007